(57)【要約】      （修正有）【課題】ロープの解く場所を据付作業用ゴンドラ上、又はかご上とし、ロープ掛け作業中のロープを全て昇降路内に収め、作業員が視認できる範囲に置くことで、異変が起こったときに即座に対応できるようにしたエレベータのロープ掛け方法、及びそれに用いられるロープ掛け冶具を提供する。【解決手段】ロープ１８を巻回したドラム１４，１５、第１、第２のダミーシーブ１２，１３を有するロープ掛け冶具１０を、昇降路２５内の最下部に在る乗りかご２１の上面に設置し、ダミーシーブ１２，１３及び乗りかご２１の吊支持用シーブ２２に引き廻したロープ１８を、昇降路最下部に在る釣合錘２９の吊支持用シーブ３０に巻き掛けたのち、その一端をロープ掛け冶具１０上に係止し、乗りかご２１を昇降路最上部まで揚重し、第２のダミーシーブ１３に巻き掛けられているロープ１８を巻上機２８の駆動シーブに掛け替え、一端及び他端をロープヒッチ２６，２７に固定する。【選択図】図５
2011020805.tif 000002
【特許請求の範囲】
【請求項１】
エレベータ設備の昇降路内において、吊支持用のロープを乗りかご、釣合錘及び巻上機の各シーブに巻き掛けるエレベータのロープ掛け方法であって、
前記ロープを巻回したドラムを有し、このドラムから一方の側辺部に設けた第１のダミーシーブを経てロープを繰り出し可能であり、前記第１のダミーシーブの設置位置の反対側辺部に第２のダミーシーブが設けられたロープ掛け冶具を、前記昇降路内の最下位置に位置している前記乗りかごの上面に設置する工程と、
前記ドラムから前記ロープの一端を引き出し、前記第１のダミーシーブから、乗りかごの吊支持用シーブを経て前記第２のダミーシーブに引き廻してこれらに巻き掛け、さらに前記昇降路内の最下位置で、乗りかごの側方に位置する前記釣合錘の吊支持用シーブに巻き掛けたのち、その一端をロープ掛け冶具上に係止する工程と、
前記釣合錘を前記昇降路最下部に固定した状態で前記乗りかごを前記昇降路の最上部まで揚重し、一端をロープ掛け冶具上に係止した前記ロープを前記ドラムから繰り出させる工程と、
前記乗りかごが前記昇降路内の最上部位置に達した状態で、前記第２のダミーシーブに巻き掛けられている前記ロープを、昇降路上部に設けられた巻上機の駆動シーブに掛け替えると共に、前記ロープの、ロープ掛け冶具上に係止された一端、及び前記ドラム側の他端を、それぞれ前記昇降路上部の所定のロープヒッチに固定する工程と、
を有することを特徴とするエレベータのロープ掛け方法。
【請求項２】
エレベータ設備の昇降路内において、吊支持用のロープを乗りかご、釣合錘及び巻上機の各シーブに巻き掛けるエレベータのロープ掛け方法であって、
前記ロープを巻回したドラムを有し、このドラムから一方の側辺部に設けた第１のダミーシーブを経てロープを繰り出し可能なロープ掛け冶具を、前記昇降路内の最下位置に位置している前記乗りかごの上方に位置する作業用のゴンドラ上に設置する工程と、
前記ドラムから前記ロープの一端を引き出し、前記第１のダミーシーブから、乗りかごの吊支持用シーブに引き廻して巻き掛け、さらに、その前記一端をロープ掛け冶具上に係止する工程と、
前記乗りかごを前記昇降路最下部に固定した状態で前記ゴンドラを前記昇降路の最上部まで揚重し、一端をロープ掛け冶具上に係止した前記ロープを、前記ドラムから繰り出させる工程と、
前記ゴンドラが前記昇降路内の最上部位置に達した状態で、前記ロープの一端をロープ掛け冶具上にから取り外し、昇降路上部に設けられた巻上機の駆動シーブを経て前記昇降路の最上部位置に位置する釣合錘の吊支持用シーブに巻き掛け、さらに、このロープの一端を前記昇降路上部の一方のロープヒッチに固定すると共に、前記ロープの前記ドラム側の他端を、前記昇降路上部の他のロープヒッチに固定する工程と、
を有することを特徴とするエレベータのロープ掛け方法。
【請求項３】
エレベータの乗りかご上又は作業用ゴンドラに設置可能な架台と、
この架台の上方から見た一側辺部に設けられ、この一側辺に沿って平行に配置される複数本のロープをその長さ方向に送りだし可能に支持する第１のダミーシーブと、
前記架台上に設置され、それぞれ前記ロープが巻回されており、これらロープの各一端を前記第１のダミーシーブに向って引き出し可能であり、かつこの引き出されたロープが前記第１のダミーシーブに達するまで互いに干渉しないように前記架台上における設置位置が設定された複数のドラムと、
前記架台の前記一側辺と対向する他側辺部に設けられ、前記ドラムから繰り出され、前記第１のダミーシーブから、下方に位置するエレベータ乗りかごの吊支持用シーブに巻き掛けられて引き廻されたロープの一端部を係止する係止部と、
を備えたことを特徴とするエレベータのロープ掛け冶具。
【請求項４】
エレベータの乗りかご上又は作業用ゴンドラに設置可能な架台と、
この架台の上方から見た一側辺部に設けられ、この一側辺に沿って平行に配置される複数本のロープをその長さ方向に送りだし可能に支持する第１のダミーシーブと、
前記架台上に設置され、それぞれ前記ロープが巻回されており、これらロープの各一端を前記第１のダミーシーブに向って引き出し可能であり、かつこの引き出されたロープが前記第１のダミーシーブに達するまで互いに干渉しないように前記架台上における設置位置が設定された複数のドラムと、
前記架台の前記一側辺を対向する他側辺部に設けられ、前記ドラムから繰り出され、前記第１のダミーシーブから、下方に位置するエレベータ乗りかごの吊支持用シーブに引き廻されたロープが巻き掛けられる第２のダミーシーブ、及びこの第２のダミーシーブを経て釣合錘の吊支持用シーブに巻き掛けられたロープの前記一端部を係止する係止部と、
を備えたことを特徴とするエレベータのロープ掛け冶具。
【請求項５】
第１のダミーシーブは、下方に位置する乗りかごの下面に設けられたカーシープの一方と、垂直投影面上で同じ位置になるように位置決めされていることを特徴とする請求項３又は請求項４に記載のエレベータのロープ掛け冶具。
【発明の詳細な説明】
【技術分野】
【０００１】
本発明は、エレベータ設備の昇降路内において、吊支持用のロープを乗りかご、釣合錘及び巻上機の各シーブに巻き掛けるエレベータのロープ掛け方法及びそれに用いられるロープ掛け冶具に関する。
【背景技術】
【０００２】
エレベータの吊指示用のロープを、昇降路内において、吊支持用のロープを乗りかご、釣合錘及び巻上機の各機器に引廻して巻き掛ける場合、ロープの束を昇降路外の、例えば最上階のエレベータホールに仮置きし、順次解きながら昇降路内に搬入し上述した各機器の綱車に巻きかけ、端部を所定のロープ固定金具に取り付けていた。また、ロープが、鋼製や樹脂製のドラムに予め巻かれている場合では、このドラムを同じくエレベータホールに仮置きし、専用のスタンドなどを用いて回動可能なように構成し、同様にロープ掛け作業を行っていた（例えば、特許文献１参照）。
【先行技術文献】
【特許文献】
【０００３】
【特許文献１】特開２００８−３０８２４８号公報
【発明の概要】
【発明が解決しようとする課題】
【０００４】
上述した従来の方法では、ロープをエレベータホールに仮置しなければならず、据付作業中は、他の業者との共有スペースを占有することになるため、迷惑を掛けることとなる。また、昇降路にてロープの巻き掛け作業を行っているときは、作業者は、ロープを設置している場所を離れなければいけない。このため、ホール前に設置してあるロープの束になんらかの異変、例えば、解けるスピードの変化、障害物への接触などが起こった場合に対応できなかった。
【０００５】
本発明の目的は、ロープの解く場所を据付作業用ゴンドラ上、又はかご上とし、ロープ掛け作業中のロープを全て昇降路内に収め、作業員が視認できる範囲に置くことで、異変が起こったときに即座に対応できるようにしたエレベータのロープ掛け方法、及びそれに用いられるロープ掛け冶具を提供することにある。
【課題を解決するための手段】
【０００６】
本発明によるエレベータのロープ掛け方法は、エレベータ設備の昇降路内において、吊支持用のロープを乗りかご、釣合錘及び巻上機の各シーブに巻き掛けるエレベータのロープ掛け方法であって、前記ロープを巻回したドラムを有し、このドラムから一方の側辺部に設けた第１のダミーシーブを経てロープを繰り出し可能であり、前記第１のダミーシーブの設置位置の反対側辺部に第２のダミーシーブが設けられたロープ掛け冶具を、前記昇降路内の最下位置に位置している前記乗りかごの上面に設置する工程と、前記ドラムから前記ロープの一端を引き出し、前記第１のダミーシーブから、乗りかごの吊支持用シーブを経て前記第２のダミーシーブに引き廻してこれらに巻き掛け、さらに前記昇降路内の最下位置で、乗りかごの側方に位置する前記釣合錘の吊支持用シーブに巻き掛けたのち、その一端をロープ掛け冶具上に係止する工程と、前記釣合錘を前記昇降路最下部に固定した状態で前記乗りかごを前記昇降路の最上部まで揚重し、一端をロープ掛け冶具上に係止した前記ロープを前記ドラムから繰り出させる工程と、前記乗りかごが前記昇降路内の最上部位置に達した状態で、前記第２のダミーシーブに巻き掛けられている前記ロープを、昇降路上部に設けられた巻上機の駆動シーブに掛け替えると共に、前記ロープの、ロープ掛け冶具上に係止された一端、及び前記ドラム側の他端を、それぞれ前記昇降路上部の所定のロープヒッチに固定する工程とを有することを特徴とする。
【０００７】
また、本発明のエレベータのロープ掛け方法は、前記ロープを巻回したドラムを有し、このドラムから一方の側辺部に設けた第１のダミーシーブを経てロープを繰り出し可能なロープ掛け冶具を、前記昇降路内の最下位置に位置している前記乗りかごの上方に位置する作業用のゴンドラ上に設置する工程と、前記ドラムから前記ロープの一端を引き出し、前記第１のダミーシーブから、乗りかごの吊支持用シーブに引き廻して巻き掛け、さらに、その前記一端をロープ掛け冶具上に係止する工程と、前記乗りかごを前記昇降路最下部に固定した状態で前記ゴンドラを前記昇降路の最上部まで揚重し、一端をロープ掛け冶具上に係止した前記ロープを、前記ドラムから繰り出させる工程と、前記ゴンドラが前記昇降路内の最上部位置に達した状態で、前記ロープの一端をロープ掛け冶具上にから取り外し、昇降路上部に設けられた巻上機の駆動シーブを経て前記昇降路の最上部位置に位置する釣合錘の吊支持用シーブに巻き掛け、さらに、このロープの一端を前記昇降路上部の一方のロープヒッチに固定すると共に、前記ロープの前記ドラム側の他端を、前記昇降路上部の他のロープヒッチに固定する工程とを有してもよい。
【０００８】
本発明によるエレベータのロープ掛け冶具は、エレベータの乗りかご上又は作業用ゴンドラに設置可能な架台と、この架台の上方から見た一側辺部に設けられ、この一側辺に沿って平行に配置される複数本のロープをその長さ方向に送りだし可能に支持する第１のダミーシーブと、前記架台上に設置され、それぞれ前記ロープが巻回されており、これらロープの各一端を前記第１のダミーシーブに向って引き出し可能であり、かつこの引き出されたロープが前記第１のダミーシーブに達するまで互いに干渉しないように前記架台上における設置位置が設定された複数のドラムと、前記架台の前記一側辺と対向する他側辺部に設けられ、前記ドラムから繰り出され、前記第１のダミーシーブから、下方に位置するエレベータ乗りかごの吊支持用シーブに巻き掛けられて引き廻されたロープの一端部を係止する係止部とを備えたことを特徴とする。
【０００９】
また、本発明のエレベータのロープ掛け冶具は、エレベータの乗りかご上又は作業用ゴンドラに設置可能な架台と、この架台の上方から見た一側辺部に設けられ、この一側辺に沿って平行に配置される複数本のロープをその長さ方向に送りだし可能に支持する第１のダミーシーブと、前記架台上に設置され、それぞれ前記ロープが巻回されており、これらロープの各一端を前記第１のダミーシーブに向って引き出し可能であり、かつこの引き出されたロープが前記第１のダミーシーブに達するまで互いに干渉しないように前記架台上における設置位置が設定された複数のドラムと、前記架台の前記一側辺を対向する他側辺部に設けられ、前記ドラムから繰り出され、前記第１のダミーシーブから、下方に位置するエレベータ乗りかごの吊支持用シーブに引き廻されたロープが巻き掛けられる第２のダミーシーブ、及びこの第２のダミーシーブを経て釣合錘の吊支持用シーブに巻き掛けられたロープの前記一端部を係止する係止部とを備えた構成でもよい。
【００１０】
本発明のエレベータのロープ掛け冶具では、第１のダミーシーブは、下方に位置する乗りかごの下面に設けられたカーシープの一方と、垂直投影面上で同じ位置になるように位置決めされているとよい。
【発明の効果】
【００１１】
本発明によれば、昇降路内に揚重可能に設けられたかご又は据付作業用ゴンドラ上にロープを供給用のドラムを設置し、このかご又はゴンドラを揚重させることにより、ロープを繰り出して所定の機器に巻きかけるようにしたので、ロープ掛け作業が容易になると共に、ロープ掛け作業中のロープは、全て昇降路内に収められ、作業員が視認できる範囲に置かれるので、異変が起こったときにも即座に対応することができる。
【図面の簡単な説明】
【００１２】
【図１】本発明のロープ掛け冶具の一実施の形態を示す正面図である。
【図２】同上ロープ掛け冶具の平面図である。
【図３】同上ロープ掛け冶具を乗りかご上に設置した場合を示す正面図である。
【図４】本発明のロープ掛け冶具を乗りかご上に設置して行うエレベータのロープ掛け方法の実施の形態を説明するフローチャートである。
【図５】図４で説明した各ステップの作業を模式的に示す作業説明図である。
【図６】本発明のロープ掛け冶具を作業用ゴンドラ上に設置して行うエレベータのロープ掛け方法の実施の形態を説明するフローチャートである。
【図７】図６で説明した各ステップの作業を模式的に示す作業説明図である。
【図８】本発明に用いるローブ引き上げ冶具の一例を示しており、（ａ）は正面図、（ｂ）は側面図である。
【発明を実施するための形態】
【００１３】
以下、本発明によるエレベータのロープ掛け方法、及びそれに用いられるロープ掛け冶具の一実施の形態について、図面を用いて詳細に説明する。
【００１４】
まず、図１及び図２によりロープ掛け治具１０を説明する。なを、図１はロープ掛け冶具１０の正面図、図２はその平面図である。
【００１５】
これらの図において、ロープ掛け冶具１０は、架台１１を有する。この架台１１は、後述するように、昇降路内に設けられるエレベータの乗りかご又は作業用ゴンドラの上に設置可能に構成されている。この架台１１上には、第１及び第２の仮綱車（以下、ダミーシーブと呼ぶ）１２，１３、ロープ供給用のドラム１４，１５，１６、ロープの一端部を係止する係止部１７がそれぞれ設けられている。
【００１６】
第１のダミーシーブ１２は、架台１１上の、上方から見た一側辺部（図示左辺近く）に設けられ、この一側辺（左側辺：図１の紙面と直交する方向））に沿う回転軸１２Ａを有し、軸受１２Ｂにより回転可能に支持されている。この第１のダミーシーブ１２の外周上には、前記ドラム１４,１５,１６から複数本のロープ１８が、前記一側辺に沿って平行な状態でに巻き掛けられ、その回転により、この複数本のロープ１８を、図示下方へその長さ方向に送り出すものである。
【００１７】
複数のドラム１４，１５，１６は、第１のダミーシーブ１２の回転軸１２Ａとそれぞれ平行な回転軸１４Ａ，１５Ａ，１６Ａを有し、対応する軸受１４Ｂ，１５Ｂ，１６Ｂにより架台１１上にそれぞれ回転可能に設置されている。これらドラム１４，１５，１６には、それぞれロープ１８が巻回されており、その回転により、これらロープの各一端を第１のダミーシーブ１２に向って引き出し可能である。
【００１８】
ここで、各ドラム１４,１５,１６は、図２で示すように、それぞれ３つのロープ巻回部を有し、各ドラム毎に３本ずつ、計９本のロープ１８を、並列な状態で第１のダミーシーブ１２へ送り出すことができる。この場合、各ドラム１４,１５,１６から引き出されたロープ１８が、第１のダミーシーブ１２に達するまで互いに干渉しないように架台１１上における設置位置を設定している。すなわち、第１のダミーシーブ１２は、高さ方向で、ドラム１４から繰り出されるロープ（１８ａとする）と、ドラム１５から繰り出されるロープ（１８ｂとする）との間に配置することにより、これらロープ１８ａ、１８ｂが描く軌跡が互いに干渉することなく第１のダミーシーブ１２から繰り出すことが可能となる。また、ドラム１６は、ドラム１４,１５より高い位置で、しかも前後方向（図示左右方向）についてはドラム１４,１５間に配置する。このことで、繰り出されるロープ（１８ｃとする）が他のロープ１８ａ，１８ｂと緩衝せず、架台１１上における設置スペースを短縮できる。したがって、ロープ本数が多くなる場合においても、ロープ掛け治具１０の全体寸法を小さく構成できる。
【００１９】
第２のダミーシーブ１３は、第１のダミーシーブ１２の回転軸１２Ａと平行な回転軸１３Ａを有し、軸受１３Ｂにより、架台１１上に回転可能に設置されている。この第２のダミーシーブ１３は、架台１１上の、前記一側辺と対向する他側辺部（図示右辺近く）に設けられており、各ドラム１４,１５,１６から繰り出され、第１のダミーシーブ１２から、後述するように、図示しない下方に位置するエレベータ乗りかごの吊支持用シーブに巻き掛けられたロープを、巻上機のシーブに代って巻き掛けるものである。
【００２０】
さらに、ロープ１８の一端部を係止する係止部１７は、第２のダミーシーブ１３と同じく架台１１上の、図示右辺近くに設けられており、後述するように、図示しない釣合錘の吊支持用シーブに巻き掛けられたロープ１８の一端部を係止する。
【００２１】
このように、第１及び第２のダミーシーブ１２，１３、ロープ供給用の複数のドラム１４，１５，１６、ロープの一端部を係止する係止部１７を架台１１上に配置したロープ掛け冶具１０は、特に、複数のドラム１４，１５，１６を前後（図示左右）及び上下に合理的に配置したことにより、取り扱うロープ１８の本数が多くても、全体として占有面積を小さくでき、昇降路内における乗りかご又は作業用のゴンドラ上に装着可能な形状に構成することができる。
【００２２】
次に、このようなロープ掛け冶具１０を用いて昇降路内においてロープ掛けを行う場合を説明する。まず、ロープ掛け冶具１０を、図３で示すように、エレベータの乗りかご２１上に設置してロープ掛けを行う場合を説明する。なお、図３はロープ掛け治具１０を乗りかご２１上に乗せたときの状態を示す概略図である。
【００２３】
図３において、乗りかご２１は、昇降路内で組み立てられたものであり、その下面には、吊支持用の２つのシーブ（以下、カーシーブと呼ぶ）２２が設けられている。ロープ掛け冶具１０は、乗りかご２１の上面に装着された架台１１上に、第１及び第２のダミーシーブ１２，１３、ロープ供給用の複数のドラム１４，１５、ロープの一端部を係止する係止部１７を、前述した配置構成により取り付けている。なお、図１及び図２では、ロープ供給用として３つのドラム１４，１５，１６を示したが、図３では説明を簡略化するために２つのドラム１４，１５を取り付けた場合を示している。一般に、ロープ１８の本数は、エレベータの定格積載荷重等により種々であり、２つのドラム１４，１５だけの場合も、実際には充分あり得ることである。
【００２４】
次に、図４及び図５により、ロープ掛け冶具１０を、エレベータの乗りかご２１上に設置してロープ掛けを行う場合のロープ掛け方法を説明する。なお、図４はロープ掛け方法の手順を説明するフローチャートであり、図５は、図４で説明した各ステップの作業を模式的に表したものである。
【００２５】
図４及び図５において、始めに、昇降路内における各種用品の据え付け作業が完了しているものとする（ステップ４０１）。すなわち、図５で示す昇降路２５内の上部に、ロープヒッチ２６，２７や巻上機２８が据え付けられ、また、図示しないが、乗りかご用案内レールや釣合錘用の案内レールが据え付けられ、さらに、ロープ掛け作業用の揚重機も設置されているものとする。
【００２６】
次に、昇降路２５内において乗りかご２１のかご枠が組み立てられる（ステップ４０２）。この乗りかご２１は、図３で示した構造のものであり、その下面に２つのカーシーブ２２が設けられている。また、釣合錘２９も昇降路２５内に設置されているものとする。この釣合錘２９は、図５で示すように、上部に吊支持用のシーブ（以下、C/Wシーブと呼ぶ）３０を有するものである。
【００２７】
次に、ロープ掛け冶具１０を、図５のＡで示すように、昇降路２５内において乗りかご２１の上面に設置する（ステップ４０３）。このとき、乗りかご２１及び釣合錘２９は、共に昇降路２５内の最下位置に位置している。ここで、ロープ掛け治具１０は、乗りかご２１上に設置されたときに、第１のダミーシーブ１２が、乗りかご２１の下面に設けられたカーシープ２２の一方と、垂直投影面上で同じ位置になるように位置決めしておく。これは、後述するように乗りかご２１を揚重したときに、ロープが乗りかご２１の側面などに干渉することなく繰り出されるための構成である。
【００２８】
この状態で、ロープ掛け冶具１０上に乗り込んだ作業員は、図５のＢで示すように、巻上機２８側に位置する第２のダミーシーブ１３の直上付近からロープ引き上げ冶具３２を昇降路２５内に降ろす（ステップ４０４）。ロープ引き上げ冶具３２は、後述するように、ロープ掛け冶具１０上のドラム１４，１５から繰り出されたロープ１８の先端部を保持するもので、図８で示すように、台形状のプレート３２ａとその表面に設けられた挟み板３２ｂとにより複数本のロープ１８の先端部を挟持する。また、このプレート３２ａには、引き上げ操作用の図示しない器具を取り付けるための孔３２ｃが設けられている。
【００２９】
次に、作業員はロープ掛け冶具１０上のドラム１４，１５からそれぞれロープ１８の一端を引き出し、図５のＣで示すように、第１のダミーシーブ１２から、乗りかご２１の下面に設けられたカーシーブ２２へ引き廻し、これらに巻き掛ける（ステップ４０５）。そしてこれらロープ１８の一端を、予め昇降路２５内に降ろしてあるロープ引き上げ冶具３２に図５のＤで示すように固定し（ステップ４０６）、その後、かご上のロープ掛け冶具１０上に引き上げる（ステップ４０７）。
【００３０】
作業員は、この引き上げたロープ１８を、図５のＥで示すように、第２のダミーシーブ１３に図示右まわりに巻き掛ける（ステップ４０８）。この後、さらにロープ１８を、昇降路２５内の最下位置で、乗りかご２１の側方に位置する釣合錘２９のC/Wシーブ３０に引き廻して図示左回りに巻き掛け（ステップ４０９）、その一端をロープ掛け冶具１０の係止部１７に係止し、固定する（ステップ４１０）。
【００３１】
次に、図５のＦで示すように、釣合錘２９を昇降路２５の最下部に固定した状態で、乗りかご２１を図示しない揚重機により昇降路２５の最上部まで揚重する。この乗りかご２１の揚重により、その上部に固定されたロープ掛け冶具１０も上昇するので、このロープ掛け冶具１０上の係止部１７に一端が係止されたロープ１８は、最下位置のC/Wシーブ３０、揚重される第２のダミーシーブ１３、カーシーブ２２、及び第１のダミーシーブ１２を介して、対応するドラム１４，１５から繰り出される（ステップ４１１）。
【００３２】
このようにして、乗りかご２１が昇降路２５内の最上部に達すると乗りかご２１をこの最上部位置で停止させ、ロープ掛け冶具１０上の作業員は、図５のＧで示すように、第２のダミーシーブ１３に巻き掛けられているロープ１８を、昇降路２５の上部に設けられた巻上機２８の駆動シーブに掛け替える（ステップ４１２）。また、ロープ１９の、ロープ掛け冶具１０上に係止された一端を昇降路２５の上部に設けられたロープヒッチ２７に固定する（ステップ４１３）。さらに、ドラム１４，１６側の他端を、昇降路２５の上部に設けられたロープヒッチ２６に固定する（ステップ４１４）ことにより、図５のＨで示すように、ロープ掛け作業が終了する。
【００３３】
ここで、乗りかご２１に取り付けられるカーシープ３０が乗りかご２５の下部となる場合は、一般的に乗りかご２５が昇降路の下部に位置しているときにかご廻りのロープ掛けを終了しなければならない。そのため従来のロープ掛けでは、釣合錘を昇降路上部、かごを昇降路下部に位置させて行う必要があった。しかし、機械室が無いエレベータで、昇降路内上部に各機器（ロープ固定部品、制御盤）が設置される場合では、その昇降路上部でロープ固定作業、エレベータ試運転作業を行わなくてはならず、別途昇降路上部に作業床を設置（空中足場など）しなくてはならなかった。
【００３４】
これに対し、本発明の上記実施の形態では、ステップ４０４からステップ４１０までの段階において、釣合錘２９を含めた乗りかご２１廻りのロープ引廻しを昇降路２５の下部において完了する。その後、乗りかご２１を上部に揚重しているため、かご揚重後の乗りかご天井を作業床として用いることができる。このようにすれば、昇降路上部に別途作業床を設置する作業を省略することができる。また、乗りかご２１の揚重時に、乗りかご２１上に設置されたロープ掛け冶具１０のドラム１４，１５から、複数本のロープ１８を一斉に繰り出させることができる。そして、乗りかご２１を昇降路２５の最上位置に揚重後、前述のように、この乗りかご２１の天井部を作業床として、繰り出されたロープ１８の巻上機２８への掛け替えや、ロープ端部のヒッチ部２６，２７への固定作業を実施できるので、エレベータのロープ掛け作業を従来に比べ、大幅に容易化及び簡略化できる。
【００３５】
また、このロープ掛け作業は、昇降路２５内においてすべて行うことができる。このため、従来のように、ある階のエレベータホール上にロープ束や、ロープ供給ドラムを設置して、他の作業者に迷惑をかけることはない。また、ロープ供給用のドラム１４，１５は、乗りかご２１上のロープ掛け冶具１０上に設置されており、この冶具１０上にはロープ掛け作業員が常に居ることから、仮にドラム１４，１５からのロープ繰り出しに不具合が生じても、作業員はこの不具合をただちに発見して対処することができ、ロープ掛け作業をより一層確実なものとすることができる。
【００３６】
次に、ロープ掛け冶具１０を、エレベータの乗りかご２１の上方に位置する作業用ゴンドラに設置してロープ掛けを行う場合のロープ掛け方法を図６及び図７を用いて説明する。なお、図６はロープ掛け方法の手順を説明するフローチャートであり、図７は、図６で説明した各ステップの作業を模式的に表したものある。
【００３７】
図６及び図７において、始に、昇降路内における各種用品の据え付け、及び釣合錘(C/W)の昇降路２５最上部への揚重が完了しているものとする（ステップ６０１）。すなわち、図７で示す昇降路２５内の上部に、ロープヒッチ２６，２７や巻上機２８が据え付けられ、また、図示しないが、乗りかご用案内レールや釣合錘用の案内レールが据え付けられ、さらに、ロープ掛け作業用の揚重機も設置されており、この揚重機により、図７のＡで示すように、釣合錘２９の昇降路２５の最上位置への揚重が完了して固定されているものとする。なお、釣合錘２９は上部に吊支持用のC/Wシーブ３０を有するものである。
【００３８】
次に、昇降路２５内において乗りかご２１のかご枠が組み立てられる（ステップ６０２）。組み立てられた乗りかご２１は、昇降路２５内の最下位置に位置している。この乗りかご２１は、下面に２つのカーシーブ２２が設けられているものとする。
【００３９】
昇降路２５内の、最下位置に位置している乗りかご２１の上方には、図７のＡで示すように、作業用のゴンドラ３５が揚重可能に設けられており、このゴンドラ３５上に、前述したロープ掛け冶具１０を設置する（ステップ６０３）。このロープ掛け治具１０は、図３で示したものと基本的に同じ構造であるが、ゴンドラを用いたロープ掛け方法では、第２のダミーシーブ１３は用いないため、この第２のダミーシーブを取り除いた構造でもよい。また、このロープ掛け冶具１０は、ゴンドラ３５上に設置された状態において、第１のダミーシーブ１２が、下方に位置する乗りかご２１の下面に設けられたカーシープ２２の一方と、垂直投影面上で同じ位置になるように位置決めしておく。これは、後述するようにゴンドラ３５を揚重したときに、ロープが乗りかご２１の側面などに干渉することなく繰り出されるための構成である。
【００４０】
この状態で、ゴンドラ３５上に乗り込んだ作業員は、図７のＢで示すように、ゴンドラの図示右側からロープ引き上げ冶具３２を昇降路２５内に降ろす（ステップ６０４）。このロープ引き上げ冶具３２は、ロープ１８の先端部を保持するもので、図８で示したものである。
【００４１】
次に、作業員はロープ掛け冶具１０上のドラム１４，１５からそれぞれロープ１８の一端を引き出し、図７のＣで示すように、第１のダミーシーブ１２から、下方に位置する乗りかご２１の下面に設けられたカーシーブ２２へ引き廻し、これらに巻き掛ける（ステップ６０５）。そして、これらロープ１８の一端を、予め昇降路２５内に降ろしてあるロープ引き上げ冶具３２に図７のＤで示すように固定し（ステップ６０６）、その後ゴンドラ３５上に引き上げ（ステップ６０７）、図７のＥで示すように、ロープ掛け冶具１０の係止部１７に固定する（ステップ６０８）。
【００４２】
次に、図７のＦで示すように、乗りかご２１を昇降路２５の最下部に固定した状態で、ゴンドラ３５を図示しない揚重機により昇降路２５の最上部まで揚重する。このゴンドラ３５の揚重によりロープ掛け冶具１０も上昇するので、このロープ掛け冶具１０上の係止部１７に一端が固定されたロープ１８は、カーシーブ３０、第１のダミーシーブ１２を介して、対応するドラム１４，１５から繰り出される（ステップ６０９）。
【００４３】
このようにして、ゴンドラ３５が昇降路２５内の最上部位置に達するとゴンドラ３５をこの最上部位置で停止させ、ロープ掛け冶具１０上の作業員は、ロープ引き上げ冶具３２に固定されているロープ１８先端を、ロープ掛け冶具１０から取り外し、図７のＧで示すように、昇降路２５の上部に設けられた巻上機２８の駆動シーブに図示右廻りに巻き掛け、さらに、C/Wシーブ３０に図示左回りに巻き掛ける(ステップ６１０)。この後、ロープ１８の端部のソケッテイングを行い、ロープヒッチ２７に固定する（ステップ６１１）。さらに、ドラム１４，１６側の他端を、昇降路２５の上部に設けられたロープヒッチ２６に固定する（ステップ６１２）ことにより図７のＨで示すように、ロープ掛け作業が終了する。
【００４４】
この実施の形態でも、ステップ６０４からステップ６０８までの段階において、乗りかご２１廻りのロープ引廻しを昇降路２５の下部において完了し、その後、ゴンドラ３５を上部に揚重しているため、揚重後のゴンドラ３５を作業床として用いることができる。このようにすれば、昇降路上部に別途作業床を設置する作業を省略することができる。また、ゴンドラ３５の揚重時に、ゴンドラ３５上に設置されたロープ掛け冶具１０のドラム１４，１５から、複数本のロープ１８を一斉に繰り出すことができる。そして、ゴンドラ３５を昇降路２５の最上位置に揚重後、前述のように、このゴンドラ３５を作業床として、繰り出されたロープ１８の、巻上機２８の駆動シーブやC/Wシーブ３０への各巻き掛け作業、さらにはロープ端部のヒッチ部２６，２７への固定作業を実施できるので、エレベータのロープ掛け作業を従来に比べ、大幅に容易化及び簡略化できる。
【００４５】
また、このロープ掛け作業は、昇降路２５内においてすべて行うことができる。このため、従来のように、ある階のホール床上にロープ束や、ロープ供給ドラムを設置することにより、他の作業者に迷惑をかけることはない。また、ロープ供給用のドラム１４，１５は、ゴンドラ３５上のロープ掛け冶具１０上に設置されており、この冶具１０上にはロープ掛け作業員が常に居ることから、仮にドラム１４，１５からのロープ繰り出しに不具合が生じても、作業員はこの不具合をただちに発見して対処することができ、ロープ掛け作業をより一層確実なものとすることができる。
【符号の説明】
【００４６】
１０…ロープ掛け冶具
１１…架台
１２…第１のダミーシーブ
１３…第２のダミーシーブ
１４，１５，１６…ロープ供給用のドラム
１７…係止部
１８…ロープ
２１…乗りかご
２２…吊支持用のシーブ（カーシーブ）
２５…昇降路
２６，２７…ロープヒッチ
２８…巻上機
２９…釣合錘
３０…吊支持用のシーブ（C/Wシーブ）
３２…ロープ引き上げ冶具
３５…作業用のゴンドラ
【図１】
2011020805.tif 000003
【図２】
2011020805.tif 000004
【図３】
2011020805.tif 000005
【図４】
2011020805.tif 000006
【図５】
2011020805.tif 000007
【図６】
2011020805.tif 000008
【図７】
2011020805.tif 000009
【図８】
2011020805.tif 000010